(57)【要約】      （修正有）【課題】嵩上げ部の強度を低下させることなく、その使用する金属材料の使用量を抑制し、もってコストの低減を可能とする経済的な嵩上げ用溝蓋を提供する。【解決手段】嵩上げ部２０は、溝蓋本体１１下面に固着された裏板材３０と、裏板材３０の前後の両端部に固設され長さ方向内側へ折り曲げられた折曲部４１，４６を有する脚部４０と、前後の脚部４０間に固設され上下方向に屈曲する板状の屈曲部材５０とからなり、屈曲部材５０は幅方向中央部に上方へ突出する凸溝部５５が形成されており、屈曲山部は裏板材３０に固着されかつ終端部は脚部４０の折曲部角部に固着されているとともに、屈曲部材５０の屈曲谷部下面及び脚部折曲部４１，４６下面にはゴム又は合成樹脂の弾性部材６０が取付られて接地部とする。【選択図】図１
0003145264.tif 000002
【実用新案登録請求の範囲】
【請求項１】
溝蓋本体下面の両側部に嵩上げ部が形成された溝蓋において、
前記嵩上げ部は、溝蓋本体下面に固着された裏板材と、前記裏板材の前後の両端部に固設され長さ方向内側へ折り曲げられた折曲部を有する脚部と、前記前後の脚部間に固設され上下方向に屈曲する板状の屈曲部材とからなり、
前記屈曲部材は幅方向中央部に上方へ突出する凸溝部が形成されており、屈曲山部は前記裏板材に固着されかつ終端部は前記脚部の折曲部角部に固着されているとともに、前記屈曲部材の屈曲谷部下面及び前記脚部折曲部下面にはゴム又は合成樹脂の弾性部材が取付られて接地部とされていることを特徴とする溝蓋。
【請求項２】
前記屈曲谷部と裏板材との間に補強板が立設されている請求項１に記載の溝蓋。
【請求項３】
前記屈曲谷部下面に取り付けられる弾性部材が、屈曲部材の幅方向に包着する腕部と中央部に前記凸溝部の背面側に没入する凸部とを有する請求項１又は２に記載の溝蓋。
【考案の詳細な説明】
【技術分野】
【０００１】
この考案は溝蓋本体下面側に嵩上げ部が形成された溝蓋の改良に関する。
【背景技術】
【０００２】
側溝等に取り付けられる溝蓋には、溝蓋天面の高さを側溝ブロックの上面に合わせるために、溝蓋の下面側に嵩上げ部を形成した嵩上げ用溝蓋が知られている。添付図面の第８図に示すように、従来のこの種嵩上げ用溝蓋１００は、溝蓋本体１１１の下面側に角パイプ１５０によって嵩上げ部１２０を形成したものが一般的であった。溝蓋本体１１１に関し、１１２はベアリングバー、１１４はエンドプレート、１１５はサイドプレートである。
【０００３】
しかしながら、図８に示すような角パイプ１５０では、嵩上げ部１２０の制作に使用される鉄等の金属材料の消費量が大きくなり材料費が高くなるとともに重量が増加し、運搬費も高くなるばかりか、作業上の負担も大きいくなる嫌いがある。また、角パイプ１５０では、側溝に設置する際の接地面が広くなることによってがたつきやすくなるため、騒音が発生したり、側溝を損傷させるおそれがある。
【特許文献１】特開２００７−２７７８３２号公報
【考案の開示】
【考案が解決しようとする課題】
【０００４】
そこで、この考案は、嵩上げ部の強度を低下させることなく、その使用する金属材料の使用量を抑制し、もってコストの低減化を可能とする経済的な嵩上げ用溝蓋を提供するとともに、あわせて、側溝に設置した際のがたつきの低減を図ることを目的とする。
【課題を解決するための手段】
【０００５】
すなわち、請求項１の考案は、溝蓋本体下面の両側部に嵩上げ部が形成された溝蓋において、前記嵩上げ部は、溝蓋本体下面に固着された裏板材と、前記裏板材の前後の両端部に固設され長さ方向内側へ折り曲げられた折曲部を有する脚部と、前記前後の脚部間に固設され上下方向に屈曲する板状の屈曲部材とからなり、前記屈曲部材は幅方向中央部に上方へ突出する凸溝部が形成されており、屈曲山部は前記裏板材に固着されかつ終端部は前記脚部の折曲部角部に固着されているとともに、前記屈曲部材の屈曲谷部下面及び前記脚部折曲部下面にはゴム又は合成樹脂の弾性部材が取付られて接地部とされていることを特徴とする溝蓋に係る。
【０００６】
請求項２の考案は、前記屈曲谷部と裏板材との間に補強板が立設されている請求項１に記載の溝蓋に係る。
【０００７】
請求項３の考案は、前記屈曲谷部下面に取り付けられる弾性部材が、屈曲部材の幅方向に包着する腕部と中央部に前記凸溝部の背面側に没入する凸部とを有する請求項１又は２に記載の溝蓋に係る。
【考案の効果】
【０００８】
請求項１の考案に係る溝蓋によれば、溝蓋本体下面の両側部に嵩上げ部が形成された溝蓋において、前記嵩上げ部は、溝蓋本体下面に固着された裏板材と、前記裏板材の前後の両端部に固設され長さ方向内側へ折り曲げられた折曲部を有する脚部と、前記前後の脚部間に固設され上下方向に屈曲する板状の屈曲部材とからなり、前記屈曲部材は幅方向中央部に上方へ突出する凸溝部が形成されており、屈曲山部は前記裏板材に固着されかつ終端部は前記脚部の折曲部角部に固着されているとともに、前記屈曲部材の屈曲谷部下面及び前記脚部折曲部下面にはゴム又は合成樹脂の弾性部材が取付られて接地部とされているため、嵩上げ部の強度を低下させることなく、その使用する金属材料の使用量を抑制し、もってコストの低減化を可能とする経済的な嵩上げ用溝蓋を提供するとともに、あわせて、側溝に設置した際のがたつきの低減を図ることができる。
【０００９】
請求項２の考案は、請求項１において、前記屈曲谷部と裏板材との間に補強板が立設されているため、前記嵩上げ部の形状の維持及び強度をより確実に確保することができる。
【００１０】
請求項３の考案は、請求項１又は２において、前記屈曲谷部下面に取り付けられる弾性部材が、屈曲部材の幅方向に包着する腕部と中央部に前記凸溝部の背面側に没入する凸部とを有するため、屈曲部材の形状に対応して位置ずれすることなく確実な取り付けが可能となる。
【考案を実施するための最良の形態】
【００１１】
以下添付の図面に従ってこの考案を詳細に説明する。
図１は本考案の一実施例に係る溝蓋裏面側の斜視図、図２は嵩上げ部の要部断面図、図３は脚部折曲部下面に取り付けられる弾性部材の斜視図、図４は屈曲部材の屈曲谷部下面に取り付けられる弾性部材の斜視図、図５は屈曲部材の屈曲谷部下面に取り付けた弾性部材の幅方向の断面図、図６は溝蓋の設置状態を表す幅方向の断面図、図７は同じく溝蓋の設置状態を表す長さ方向の断面図である。
【００１２】
図１に示したように、この考案の溝蓋１０は、溝蓋本体１１下面の両側部に形成された嵩上げ部２０が、溝蓋本体１１下面に固着された裏板材３０と、脚部４０と、屈曲部材５０とからなり、接地部としての弾性部材６０が取り付けられていることを特徴とする。溝蓋本体１１は、図１，６，７に示すように、いわゆるグレーチングからなり、符号１２はベアリングバー、１３はツイストバー、１４はエンドプレート、１５はサイドプレートである。
【００１３】
脚部４０は、裏板材３０の前後の両端部に固設された前側脚部４１と後側脚部４６からなる。この脚部４１，４６は、それぞれ長さ方向の内側へ折り曲げられた折曲部４２，４７を有する。また、前後の脚部４１，４６は、溶接等によって裏板材３０に固着する他、単一の板状部材を折り曲げ加工することによって裏板材３０と一体に形成することができる。このように、折曲部４２，４７を有する脚部４０（４１，４６）を備えたことにより、嵩上げ部２０の形状の維持及び強度を確実に確保することができる。
【００１４】
屈曲部材５０は、図１，２に示すように、前後の脚部４１，４６間に固設され上下方向に屈曲する板状部材からなる。この屈曲部材５０は、概ね８０ｍｍ〜２００ｍｍ前後の周期で連続形成されるが、必要な耐荷重性能に応じ、周期の大きさや強度計算がなされる。なお、図において、符号５１は屈曲部材５０の屈曲山部、５２は屈曲部材５０の屈曲谷部である。
【００１５】
この屈曲部材５０では、幅方向中央部に上方へ突出する凸溝部５５が形成されており、屈曲山部５１が裏板材３０に固着されている。これにより、屈曲部材５０の強度を向上させ、嵩上げ部２０の形状の維持及び強度を確実に確保することができる。また、屈曲部材５０の終端部５３，５４が前後の脚部４１，４６の折曲部角部４３，４８に固着されていることにより、屈曲部材５０の取り付けを容易かつ確実にでき、嵩上げ部２０の製作を容易かつ経済的に行うことができる利点がある。さらに、屈曲谷部５２と裏板材３０との間には、補強板３５が立設されている。この補強板３５は屈曲部材５０の屈曲谷部５２を補強するものである。これにより、嵩上げ部２０の形状の維持及び強度をより確実に確保することができる。なお、屈曲部材５０の屈曲山部５１と各終端部５３，５４及び補強板３５は、それぞれ溶接等の適宜の方法によって固着される。
【００１６】
弾性部材６０は、ゴム又は合成樹脂からなり、図１，２に示すように、屈曲部材５０の屈曲谷部５２下面及び脚部折曲部４２，４７下面に取付けられて接地部とされる。実施例の弾性部材６０は、公知のポリ塩化ビニル（ＰＶＣ）によって形成され、ゴム硬度は６０〜７０である。また、この弾性部材６０では、前後の脚部折曲部４２，４７下面に取付けられる折曲部用弾性部材７０と、各屈曲谷部５２下面に取付けられる屈曲谷部用弾性部材８０とが、それぞれ異なる形状で構成されている。なお、各弾性部材７０，８０では、接地部であるそれぞれの下面が略同一平面となることはいうまでもない。
【００１７】
折曲部用弾性部材７０は、図２，３に示すように、折曲部４１，４６と略同一幅に形成された断面略Ｌ字状の本体部７１と、折曲部４１，４６の内側方向に包着する腕部７３とを有する。この弾性部材７０では、本体部７１の垂直面部７２が各折曲部４１，４６の外側面に当接するとともに、腕部７３が各折曲部４１，４６の内側端部を包着することにより、位置ずれが抑制される。なお、この弾性部材７０は、公知の接着剤等を用いて各折曲部４１，４６に接着することにより、より確実に取付けることができる。
【００１８】
屈曲谷部用弾性部材８０は、図２，４，５に示すように、屈曲部材５０の幅方向に包着する腕部８２，８２と、中央部に凸溝部５５の背面側に没入する凸部８３とを有する。この弾性部材８０では、屈曲谷部５２の屈曲部分を考慮して、平板状の本体部８１と各腕部８２，８２との間隔が屈曲部材５０の板厚より十分広く構成される。この弾性部材８０にあっては、本体部８１が屈曲谷部５２の頂点部分に当接するとともに、各腕部８２，８２が屈曲部材５０の屈曲谷部５２の両側端部を包着し、さらに凸部８３が凸溝部５５の背面側に没入するため、屈曲部材５０の形状に対応して位置ずれすることなく確実な取り付けが可能となる。また、この弾性部材８０も、前記弾性部材７０と同様に公知の接着剤等を用いて各折曲部４１，４６に接着することで、より確実に取付けることができる。なお、図において符号８４は腕部８２，８２に設けられた補強板３５と係合するための切欠部である。
【００１９】
図６及び図７は、当該溝蓋１０の設置状態を表す断面図である。図において符号Ｄはコンクリート製品からなる側溝である。図示のように、この考案の溝蓋１０によれば、従来の角パイプに比して、嵩上げ部２０の強度を低下させることなく、その使用する金属材料の使用量を抑制することができ、もってコストの低減化を可能とし、あわせて、重量の低減による運搬費等の低下や作業上の負担の低減を図ることが可能となる。
【００２０】
また、従来の角パイプに比して、接地面を少なくすることができ、しかも、弾性部材６０を接地部としたことにより、側溝Ｄに設置した際に弾性部材６０が弾性変形して当該溝蓋１０のがたつきを容易に抑制することができる。特に、設置時に当該溝蓋１０に対して衝撃等が加わった場合であっても、接地部が弾性部材６０で構成されていることによりその衝撃等を緩和することができ、側溝Ｄの損傷を防止して、騒音の発生も抑制することができる。
【００２１】
なお、本考案の溝蓋は、前述の実施例のみに限定されるものではなく、考案の趣旨を逸脱しない範囲において構成の一部を適宜に変更して実施することができる。
【図面の簡単な説明】
【００２２】
【図１】図１は本考案の一実施例に係る溝蓋裏面側の斜視図である。
【図２】図２は嵩上げ部の要部断面図である。
【図３】図３は脚部折曲部下面に取り付けられる弾性部材の斜視図である。
【図４】図４は屈曲部材の屈曲谷部下面に取り付けられる弾性部材の斜視図である。
【図５】図５は屈曲部材の屈曲谷部下面に取り付けた弾性部材の幅方向の断面図である。
【図６】図６は溝蓋の設置状態を表す幅方向の断面図である。
【図７】図７は同じく溝蓋の設置状態を表す長さ方向の断面図である。
【図８】従来の溝蓋裏面側の斜視図である。
【符号の説明】
【００２３】
１０  屈曲部材
２０  前板部
２１  折曲部
３０  後板部
３１  折曲部
４０  上板部
５０  補強板
９０  屈曲部材
Ｇ    溝蓋
Ｍ    溝蓋本体
Ｋ    嵩上げ部
【図１】
0003145264.tif 000003
【図２】
0003145264.tif 000004
【図３】
0003145264.tif 000005
【図４】
0003145264.tif 000006
【図５】
0003145264.tif 000007
【図６】
0003145264.tif 000008
【図７】
0003145264.tif 000009
【図８】
0003145264.tif 000010